(57)【要約】      （修正有）【課題】持ち運びや運搬が簡単で、しかも風圧を受けて倒れるおそれの少ない自立柵を提供する。【解決手段】２本の縦パイプを蝶番によって相互に回動可能に連結してなるパイプ組立体１１、２本の外側縦パイプ１２、外側縦パイプとパイプ組立体の縦パイプの上端間及び下端間を連結する４本の横パイプ１３、外側縦パイプとパイプ組立体の縦パイプの上端と下端及び横パイプの両端間を引抜き可能に連結するＬ形ジョイントによってフレーム１０を組立て分解可能な構造に構成し、取付け手段をネット２０及び／又はシートの四隅の挿通穴２０Ａとフレームの四隅の挿通穴に挿通して相互に締着又は結び、ネット及び／又はシートの四周縁の挿通穴２０Ｂに挿通してフレームの縦パイプ又は横パイプに抱きつかせ、その両端部を相互に締着又は結ぶことによって、ネット及び／又はシートをフレームへの緩張架状態に取付ける。【選択図】図２
2015229875.tif 000002
【特許請求の範囲】
【請求項１】
刈払い機による草刈り作業時、コンクリート・アスファルトのはつり作業時あるいは粉塵環境下での作業時における飛石、粉塵又ははつり片の周囲への飛散を防止し、騒音環境下で防音するようにした自立柵において、
２本の縦パイプを蝶番によって相互に回動可能に連結してなるパイプ組立体、該パイプ組立体の両外側に設けられる２本の外側縦パイプ、該２本の外側縦パイプとパイプ組立体の縦パイプの上端間及び下端間を連結する４本の横パイプ、及び上記２本の外側縦パイプとパイプ組立体の縦パイプの上端と下端及び上記横パイプの両端のいずれか一方に取付けられ他方が引抜き可能に差し込まれるＬ形ジョイントによって組立て分解可能な構造に構成され、上記外側縦パイプに取付けられるＬ形ジョイントにファスナーの挿通穴が形成され、相互に角度をもって展開されることによって自立し得る一方、金属製パイプを用いて製作されることによって風圧に抗して自立し得る重さに設定されている折畳み・展開可能なフレームと、
矩形状をなし、四隅にはファスナーの挿通穴が形成され、四周縁にはファスナーの挿通穴が間隔をあけて形成され、上記フレームの広面に緩張架され、衝突した飛石・粉塵を落下させ又は防音するネット及び／又はシートと、
テープ状又は紐状をなし、上記ネット及び／又はシートの四隅の挿通穴と上記フレームの四隅の挿通穴に挿通されてその両端部が相互に締着又は結ばれ、上記ネット及び／又はシートの四周縁の挿通穴に挿通されて上記フレームの縦パイプ又は横パイプに抱きつかせてその両端部が相互に締着又は結ばれることによって、上記ネット及び／又はシートを上記フレームへの緩張架状態に取付ける取付け手段と、
を備えたことを特徴とする自立柵。
【請求項２】
上記取付け手段は雌雄の面ファスナー又は紐である請求項１記載の自立柵。
【発明の詳細な説明】
【技術分野】
【０００１】
この発明は自立柵に関し、特に持ち運びや運搬が簡単で、しかも風圧を受けて倒れるおそれの少ない自立柵に関する。
【背景技術】
【０００２】
道路沿い、駐車場、公園などの雑草を刈り取る場合、刈払い機がよく使用される。この刈払い機はエンジン又はモータの駆動力を刈払い刃に伝えて刈払い刃を高速で回転させて雑草を刈り取るようになっており、刈払い刃が小石に当たると小石が飛散して通行人や自動車などに衝突して、通行人が怪我をし、自動車などが傷つくおそれがある。
【０００３】
しかも、刈払い作業では作業者の向く方向が作業現場の状況によって様々であり、飛石の方向は一定ではなく、飛石は作業者の側方だけではなく、反時計廻りに回転する刈払い刃の刃先と小石の衝突の仕方によっては前方や左斜め前方にも小石が飛散する。
【０００４】
これに対し、帯状のネットを長尺のバーから吊り下げ、草刈り作業の補助者がバーを持って草刈り作業を行っている場所の側方に立ち、通行人や自動車などを飛石から防護するようにした防護ネットが提案されているが（特許文献１）、草刈り作業の補助者を必要とする。
【０００５】
また、道路側方のガードレールを利用してネットを張架し、通行人や自動車などを飛石から防護する防護ネットが提案されているが（特許文献２）、ガードレールがない場所では採用できない。
【０００６】
他方、横長の矩形フレームにネットを張架し、台車に矩形フレームを搭載し、これを草刈り作業を行う場所まで移動させて草刈り作業現場の側方に立て、通行人や自動車などを飛石から防護するようにした防護ネットも提案されている（特許文献３）。
【０００７】
しかし、上述の防護ネットでは作業者の側方への飛石を防ぐことを目的としており、前方や右斜め前方への飛石は防ぐことができず、飛石の危険性を回避するためには草刈り作業中の作業者の姿勢が制限されてしまい、作業現場の状況によっては作業者の安全性が損なわれるおそれがあった。
【０００８】
また、解体作業や掘削作業など、粉塵の発生する作業現場において、現場を建屋で覆い、建屋内に粉塵防護シートを張設し、発生する粉塵が周囲に飛散するのを防止するようにした方法が提案されているが（特許文献４）、建屋の建設を必要とし、作業が煩雑であり、簡単な作業現場には適用しにくい。
【０００９】
これに対し、２枚の矩形フレームを蝶番によって折畳み・展開可能に連結し、相互に角度をもって展開することによって自立させ、この２枚の矩形フレームの正面側に飛石防護ネットを張架し、飛石を衝突させることによって飛石を落下させる一方、２枚の矩形フレームの背面側に粉塵防護シートを張架し、飛石防護ネットの目をすり抜けた微小な飛石及び粉塵を衝突させることによって微小な飛石及び粉塵を落下させるようにした自立柵が提案されている（特許文献５）。
【先行技術文献】
【特許文献】
【００１０】
【特許文献１】実用新案登録第３１４９１７５号公報
【特許文献２】特開２００７−３７４２７号公報
【特許文献３】実用新案登録第３１０７６４９号公報
【特許文献４】特開２００７−１３８４８７号公報
【特許文献５】実用新案登録第３１８３９８４号公報
【発明の開示】
【発明が解決しようとする課題】
【００１１】
しかし、特許文献５記載の自立柵では塩化ビニル製パイプなどの軽量パイプを用いて、持ち運びや運搬に便利なように軽量に製作すると、自立柵が風圧を受けて簡単に倒れるおそれがある一方、金属製パイプを用いて重く製作すると、自立柵が風圧を受けても倒れ難いものの、作業現場において持ち運ぶのに少なくとも２人の作業者を必要とし、又遠くの作業現場に運搬するときに自立柵を車両に搭載し、作業現場に到着後に車両から降ろして現場まで持ち運ぶのが非常に煩雑である。
【００１２】
本発明はかかる状況において、持ち運びや運搬が簡単で、しかも風圧を受けて倒れるおそれの少ない自立柵を提供することを課題とする。
【課題を解決するための手段】
【００１３】
そこで、本発明に係る自立柵は、刈払い機による草刈り作業時、コンクリート・アスファルトのはつり作業時あるいは粉塵環境下での作業時における飛石、粉塵又ははつり片の周囲への飛散を防止し、騒音環境下で防音するようにした自立柵において、２本の縦パイプを蝶番によって相互に回動可能に連結してなるパイプ組立体、該パイプ組立体の両外側に設けられる２本の外側縦パイプ、該２本の外側縦パイプとパイプ組立体の縦パイプの上端間及び下端間を連結する４本の横パイプ、及び上記２本の外側縦パイプとパイプ組立体の縦パイプの上端と下端及び上記横パイプの両端のいずれか一方に取付けられ他方が引抜き可能に差し込まれるＬ形ジョイントによって組立て分解可能な構造に構成され、上記外側縦パイプに取付けられるＬ形ジョイントにファスナーの挿通穴が形成され、相互に角度をもって展開されることによって自立し得る一方、金属製パイプを用いて製作されることによって風圧に抗して自立し得る重さに設定されている折畳み・展開可能なフレームと；  矩形状をなし、四隅にはファスナーの挿通穴が形成され、四周縁にはファスナーの挿通穴が間隔をあけて形成され、上記フレームの広面に緩張架され、衝突した飛石・粉塵を落下させ又は防音するネット及び／又はシートと；  テープ状又は紐状をなし、上記ネット及び／又はシートの四隅の挿通穴と上記フレームの四隅の挿通穴に挿通されてその両端部が相互に締着又は結ばれ、上記ネット及び／又はシートの四周縁の挿通穴に挿通されて上記フレームの縦パイプ又は横パイプに抱きつかせてその両端部が相互に締着又は結ばれることによって、上記ネット及び／又はシートを上記フレームへの緩張架状態に取付ける取付け手段と；  を備えたことを特徴とする。
【００１４】
本発明の特徴の１つはフレームのパイプに金属製パイプを用いて十分な重さに製作するようにした点にある。これにより、自立柵の使用中に、自立柵が風圧を受けても倒れるおそれは少なく、自立柵が倒れて通行人や自動車に衝突することはなく、作業の安全性を保証できる。
【００１５】
また、本発明の第２の特徴はパイプ組立体、外側縦パイプ及び横パイプによってフレームを組立て分解可能な構造に構成するようにした点にある。これにより、自立柵が重くても、自立柵をバラバラに分解して１人の作業者によって簡単に持ち運ぶことができ、又遠くの作業現場に運搬する場合にも車両に簡単に搭載し降ろすことができる。
【００１６】
また、自立柵が角度をもって展開できるようになっているので、作業者の側方だけでなく、前方への飛石や粉塵の飛散を確実に防ぐことができ、通行人や自動車などに当たるおそれを少なくできる。
【００１７】
また、飛石・粉塵の飛散を回避できるので、作業者は危険な姿勢で草刈り作業を行う必要がなく、安全な姿勢を維持しながら草刈り作業を行うことができ、作業者の安全性を確保することができる。
【００１８】
さらに、自立柵は自身の重さによって安定した自立姿勢を確保できるので、飛石や粉塵の飛散防止でけでなく、コンクリートやアスファルトのはつり作業時におけるはつり片の飛散防止、騒音環境下における防音、花や果樹の防護、ゴルフのアプローチ練習、駐車中の自動車の防護、危険物の目隠、溶接や溶断の火花、研磨や切断の火花に対する防護などに利用することができる。
【００１９】
ネットは飛石を受けて落下させることができればよく、例えば目の粗さが１．５メッシュ〜３．５メッシュ程度の大きさのネットを使用するのがよい。また、シートは粉塵の飛散を防止し、溶接や溶断の火花、研磨や切断の火花に対して防護し、防音する機能を実現できるものであればよい。ネットとシートは同時に使用してもよく、又目的に応じていずれか一方のみを使用するようにしてもよい。
【図面の簡単な説明】
【００２０】
【図１】本発明に係る自立柵の好ましい実施形態を示す概略斜視図である。
【図２】上記実施形態の組立て前の状態を示す図である。
【図３】上記実施形態の組立て状態を示す図である。
【図４】上記実施形態の使用例を示す図である。
【図５】上記実施形態の他の使用例を示す図である。
【図６】上記実施形態のさらに他の使用例を示す図である。
【図７】上記実施形態のさらにまた他の使用例を示す図である。
【発明を実施するための形態】
【００２１】
以下、本発明を図面に示す具体例に基づいて詳細に説明する。図１ないし図７は本発明に係る自立柵の好ましい実施形態を示す。図において、自立柵はフレーム１０、ネット２０、シート３０及び雌雄の面ファスナー４０から構成され、面ファスナー４０はその両端部に雌ファスナー部及び雄ファスナー部が形成されるか、又は表面及び裏面に雌ファスナー部及び雄ファスナー部が形成されている。
【００２２】
フレーム１０は２本の縦パイプ１１Ａを２つの蝶番１１Ｂで回動可能に連結してなるパイプ組立体１１、パイプ組立体１１の外側に設けられる２本の外側縦パイプ１２、外側縦パイプ１２の上端及び下端とパイプ組立体１１の縦パイプ１１Ａの上端と下端との間に連結される４本の横パイプ１３、外側縦パイプ１２の上端及び下端とパイプ組立体１１の縦パイプ１１Ａの上端と下端に嵌め込まれて接着剤で固定され横パイプ１３が引抜き可能に差し込まれるＬ形ジョイント１５から組立て・分解可能な構造に構成され、相互に角度をもって展開されることによって自立し得るようになっている。
【００２３】
また、外側縦パイプ１２に取付けられるＬ形ジョイント１５にはファスナーの挿通穴１５Ａが形成され、又パイプ組立体１１の縦パイプ１１Ａ、外側縦パイプ１２、横パイプ１３及びＬ形ジョイント１５には鉄パイプの外内面を樹脂コーティングした金属製パイプが使用され、これによりフレーム１０は風圧に抗して自立し得る重さになっている。
【００２４】
また、横パイプ１３の両端部及びＬ形ジョイント１５の横パイプ１３が差し込まれる部位には挿通穴１３Ａ、１５Ｂが形成され、横パイプ１３とＬ形ジョイント１５とはねじ・ナット１６によって締結できるようになっている。
【００２５】
また、ネット２０及びシート３０は矩形状に製作され、その四隅にはファスナーの挿通穴２０Ａが形成され、その四周縁にはファスナーの挿通穴２０Ｂが間隔をあけて形成され、又蝶番１１Ｂにはファスナーの挿通穴２０Ｂを引っ掛けるフック１７が取付けられている。
【００２６】
例えば、路肩の雑草を刈払い機５０を用いて刈り取る場合、本例の自立柵をバラバラに分解して車両に搭載して作業現場まで運搬し、降ろして横パイプ１３によってパイプ組立体１１と外側縦パイプ１２を連結した後、ネット２０をフレーム１０の広面に沿わせ、面ファスナー４０をネット２０の四隅の挿通穴２０Ａとフレーム１０の四隅の挿通穴１５Ａに挿通し、その両端部を相互に締着し、ネット２０の四周縁の挿通穴２０Ｂに挿通されて外側縦パイプ１２及び横パイプ１３に抱きつかせ、その両端部を相互に締着させ、最後にネット２０の中央に挿通穴２０Ｂをフック１７に引っ掛けることによって、図３に示されるように、ネット２０をフレーム１０に緩やかに張架した状態（緩張架状態）に取付けることができる。
【００２７】
次に、図４に示されるように、自立柵のフレーム１０を適切な角度に展開しこれを草刈り作業を行う場所の前方及び側方をカバーするように起立させ、その状態で作業者５１が刈払い機５０を使用して雑草を刈り取ればよい。
【００２８】
予定の場所の草刈りが済むと、自立柵を持ち運ぶが、次の草刈り場所が近いときには自立柵を徐々に移動させる。場所が少し離れているときには自立柵からネット２０を取外し、横パイプ１３を引き抜いて分解し、バラバラにして持ち運び、組立てて雑草を刈り取る作業を行えばよく、このように１人の作業者によって簡単に運搬し、持ち運び、組立てることができる。
【００２９】
このとき、風が強いときには自立柵が風圧を受けると倒れるおそれがあるが、本例の自立柵では金属製パイプによって十分な重さに設定されているので、風が強くても自立柵が倒れるおそれは少ない。
【００３０】
なお、自立柵を固定的に使用する場合には図２に示されるように、ねじ・ナット１６によって横パイプ１３とパイプ組立体１１と外側縦パイプ１２を強固に連結することもできる。
【００３１】
また、本例の自立柵は図５に示されるように、コンクリートやアスファルトのはつり作業現場を囲んで自立させることによってはつり片の飛散による被害を防護できる。
【００３２】
さらに、図６に示されるように、騒音環境下ではネット２０に代えて防音シート３０を取付けた自立柵を騒音源の廻りに自立させると、防音することができる。
【００３３】
また、ゴルフクラブ７０を手に持ってアプローチの練習をする場合、図７に示されるように、本例の自立柵に向けてゴルフボールを当てるようにすれば、ゴルフボールが遠くに飛んでしまうことがなく、手軽にゴルフの練習をすることができる。
【００３４】
さらに、本例の自立柵は溶接や溶断の火花、研磨や切断の火花に対する防護に利用するけこともできる。
【符号の説明】
【００３５】
１０      フレーム
１１      パイプ組立体
１１Ａ      縦パイプ
１１Ｂ      蝶番
１２      外側縦パイプ
１３      横パイプ
２０      ネット
３０      シート
５０      刈払い機
５１      作業者
【図１】
2015229875.tif 000003
【図２】
2015229875.tif 000004
【図３】
2015229875.tif 000005
【図４】
2015229875.tif 000006
【図５】
2015229875.tif 000007
【図６】
2015229875.tif 000008
【図７】
2015229875.tif 000009